(57)【要約】【課題】  簡単な操作で短時間で気兼ねなくメッセージを入力することができる通信装置及び通信方法を提供する。【解決手段】  他人ではなくユーザ自身が予め作成した発信メールのうちの少なくとも差出人、及びメッセージの一部を冒頭文として宛先ごとに切り出してデータベースに登録しておき、そのデータベースから冒頭文を読み出して利用するという簡単な操作で短時間で気兼ねなく宛先やメッセージの入力ができる。【選択図】  図１
2006209494.tif 000002
【特許請求の範囲】
【請求項１】
Ｅメール送受信機能を有する通信装置において、
発信メールのうちの少なくとも差出人、及びメッセージの一部を冒頭文として宛先ごとに切り出す制御手段と、
前記制御手段により切り出された冒頭文を登録するデータベースとを備えたことを特徴とする通信装置。
【請求項２】
前記データベースは、１つの宛先に対して、前記冒頭文の登録が複数可能であり、
前記制御手段は、前記冒頭文の頻度のカウントおよび発信日時により優先度を付加することを特徴とする請求項１記載の通信装置。
【請求項３】
ユーザが新規にメールを作成すると、前記制御手段は、宛先に応じて前記データベースに登録された優先度順に冒頭文が前記メールのメッセージに自動挿入することを特徴とする請求項１または２記載の通信装置。
【請求項４】
前記制御手段は、前記自動挿入された冒頭文が適切でない場合、ユーザに優先度順に提示して切り替えることを特徴とする請求項３記載の通信装置。
【請求項５】
前記制御手段は、新規に作成されたメールに選択された冒頭文の頻度を更に前記データベースに追加することを特徴とする請求項３記載の通信装置。
【請求項６】
Ｅメール送受信を行う通信方法において、
発信メールのうちの少なくとも差出人、及びメッセージの一部を冒頭文として宛先ごとに切り出し、切り出された冒頭文をデータベースに登録することを特徴とする通信方法。
【請求項７】
１つの宛先に対して、前記データベースに前記冒頭文を複数登録し、前記冒頭文の頻度のカウントおよび発信日時により優先度を付加することを特徴とする請求項６記載の通信方法。
【請求項８】
ユーザが新規にメールを作成すると、宛先に応じて前記データベースに登録された優先度順に冒頭文を前記メールのメッセージに自動挿入することを特徴とする請求項６または２記載の通信方法。
【請求項９】
前記自動挿入された冒頭文が適切でない場合、ユーザに優先度順に提示して切り替えることを特徴とする請求項８記載の通信方法。
【請求項１０】
新規に作成されたメールに選択された冒頭文の頻度を更に前記データベースに追加することを特徴とする請求項８記載の通信方法。
【発明の詳細な説明】
【技術分野】
【０００１】
本発明は、通信装置及び通信方法に関し、特にＥメールの送受信が可能な通信装置及び通信方法に関する。
【背景技術】
【０００２】
携帯電話や携帯端末等の通信装置は、その掌サイズによるキー配置の制限により、コンピュータのようなＱＷＥＲＴＹキーボードを実現するのは難しく、テンキーにより英数字やかな文字をアサインする形式が多い。
このため、携帯電話や携帯端末においての文字入力は満足できるものではなく、入力操作に慣れるには訓練が必要となる。
また、入力操作に慣れた場合であっても、ＱＷＥＲＴＹキーボード入力のような入力速度は望めない。
携帯電話や携帯端末等を用いたＥメールは、業務だけでなく私用においても、その相手やシチュエーションにより、書き出しがある程度決まってくる場合が多い。
つまり、メッセージの本題に入る前にある程度決まった形式の冒頭文の入力を行うこととなるが、携帯電話や携帯端末では、上述の理由によりその入力が負荷となっていた。すなわち、選択する操作や相手による使い分け、状況の変化による冒頭文の編集や追加などが発生することになる。
【０００３】
このため、正式にＥメールを書きたい場合でも、用件のみの記載となったり、文そのものが単語の羅列のようなものになる場合が多い。特に業務において、平素はコンピュータを用いて正式なメールを発信しており、必要により携帯電話や携帯端末で業務用のメールを発信したい場合、ユーザに負担がかかるという問題（仕事用／個人用ともに多くのＥメール発信を行う機会の多く、携帯電話や携帯端末の文字入力に多くの文字入力を行うことへの不満を感じているユーザーが多い点）がある。
【０００４】
つまり、携帯電話や携帯端末にある挨拶文リストのようなお仕着せの文ではなく、ユーザの個性が見える、通常のＥメールで使用している冒頭文が登録するという意識した操作を行うことなく、差出人に応じて自動選択および挿入してくれる機能があれば、Ｅメール発信において非常に有効な手段となる。
そこで、予め冒頭文を登録しておき、ユーザが選択することが開示されている。
例えば、受信したメール本文の一部である文字列データを、付加情報とともに定型文として記憶することによって、受信メールの内容を簡単に返信メールに引用するメール装置及び記憶媒体が挙げられる（例えば、特許文献１参照）。
また、送信先と発信先との関係に応じて適切な挨拶文や署名等のデータを自動的に選択して挿入できるようにしたデータ送信装置及び記憶媒体が挙げられる（例えば、特許文献２参照）。
【特許文献１】特開２００１−３２５１９０号公報
【特許文献２】特開平１１−８５６４１号公報
【発明の開示】
【発明が解決しようとする課題】
【０００５】
しかしながら、上述した従来技術のうち前者は、文字列バッファにある程度の量のデータが蓄積されるまでは利用することができないという問題がある。また、データが充分に蓄積したとしても新規にメールを作成する際、ユーザによっては他人が作成したメッセージを真似るという嫌悪感にさいなまれるという問題がある。
また、後者は、予め格納されている種々の挨拶文を相手、時刻、季節等に応じて組み合わせるためきめ細かい挨拶文を作成することはできるが、携帯電話や携帯端末においては、挨拶文はシンプルであり、手紙文のようにきめ細かく長く作成する必要性は低い。
そこで、本発明の目的は、簡単な操作で短時間で気兼ねなくメッセージを入力することができる通信装置及び通信方法を提供することにある。
【課題を解決するための手段】
【０００６】
上記課題を解決するため、請求項１記載の発明は、Ｅメール送受信機能を有する通信装置において、発信メールのうちの少なくとも差出人、及びメッセージの一部を冒頭文として宛先ごとに切り出す制御手段と、前記制御手段により切り出された冒頭文を登録するデータベースとを備えたことを特徴とする。
請求項１記載の発明によれば、ユーザが過去に発信した発信メールのうちの少なくとも差出人、及びメッセージの一部を宛先ごとに切り出すことにより、ユーザ自身のメール過去のメールを流用することになるので、同一の差出人への二回目以降のメールの作成を気兼ねなく行うことができ、作成時間の短縮が図れる。
【０００７】
請求項２記載の発明は、請求項１記載の発明において、前記データベースは、１つの宛先に対して、前記冒頭文の登録が複数可能であり、前記制御手段は、前記冒頭文の頻度のカウントおよび発信日時により優先度を付加することを特徴とする。
請求項２記載の発明によれば、１つの宛先に対して冒頭文の登録が複数可能であることにより、同一の差出人への二回目以降のメールの作成時に状況に応じたメールを作成することができる。制御手段が冒頭文の頻度のカウントおよび発信日時により優先度を付加することにより、メールの作成能率が向上する。
【０００８】
請求項３記載の発明は、請求項１または２記載の発明において、ユーザが新規にメールを作成すると、前記制御手段は、宛先に応じて前記データベースに登録された優先度順に冒頭文が前記メールのメッセージに自動挿入することを特徴とする。
請求項３記載の発明によれば、ユーザが新規にメールを作成すると、宛先に応じてデータベースに登録された優先度順に冒頭文がメールのメッセージに自動挿入されるので、メールの作成能率が向上する。
【０００９】
請求項４記載の発明は、請求項３記載の発明において、前記制御手段は、前記自動挿入された冒頭文が適切でない場合、ユーザに優先度順に提示して切り替えることを特徴とする。
請求項４記載の発明によれば、自動挿入された冒頭文が適切でない場合、ユーザに優先度順に提示して切り替えることにより、適切な冒頭文を選択することができるので、メールの作成能率が向上する。
【００１０】
請求項５記載の発明は、請求項３記載の発明において、前記制御手段は、新規に作成されたメールに選択された冒頭文の頻度を更に前記データベースに追加することを特徴とする。
請求項５記載の発明によれば、新規に作成されたメールに選択された冒頭文の頻度をデータベースに追加することにより、メールを作成する際の参考資料が増加するので、メールの作成能率が向上する。
【００１１】
請求項６記載の発明は、Ｅメール送受信を行う通信方法において、発信メールのうちの少なくとも差出人、及びメッセージの一部を冒頭文として宛先ごとに切り出し、切り出された冒頭文をデータベースに登録することを特徴とする。
請求項６記載の発明によれば、ユーザが過去に発信した発信メールのうちの少なくとも差出人、及びメッセージの一部を宛先ごとに切り出すことにより、ユーザ自身のメール過去のメールを流用することになるので、同一の差出人への二回目以降のメールの作成を気兼ねなく行うことができ、作成時間の短縮が図れる。
【００１２】
請求項７記載の発明は、請求項６記載の発明において、１つの宛先に対して、前記データベースに前記冒頭文を複数登録し、前記冒頭文の頻度のカウントおよび発信日時により優先度を付加することを特徴とする。
請求項７記載の発明によれば、１つの宛先に対して冒頭文の登録が複数可能であることにより、同一の差出人への二回目以降のメールの作成時に状況に応じたメールを作成することができる。制御手段が冒頭文の頻度のカウントおよび発信日時により優先度を付加することにより、メールの作成能率が向上する。
【００１３】
請求項８記載の発明は、請求項６記載の発明において、ユーザが新規にメールを作成すると、宛先に応じて前記データベースに登録された優先度順に冒頭文を前記メールのメッセージに自動挿入することを特徴とする。
請求項８記載の発明によれば、ユーザが新規にメールを作成すると、宛先に応じてデータベースに登録された優先度順に冒頭文がメールのメッセージに自動挿入されるので、メールの作成能率が向上する。
【００１４】
請求項９記載の発明は、請求項８記載の発明において、前記自動挿入された冒頭文が適切でない場合、ユーザに優先度順に提示して切り替えることを特徴とする。
請求項９記載の発明によれば、、自動挿入された冒頭文が適切でない場合、ユーザに優先度順に提示して切り替えることにより、適切な冒頭文を選択することができるので、メールの作成能率が向上する。
【００１５】
請求項１０記載の発明は、請求項８記載の発明において、新規に作成されたメールに選択された冒頭文の頻度を更に前記データベースに追加することを特徴とする。
請求項１０記載の発明によれば、新規に作成されたメールに選択された冒頭文の頻度をデータベースに追加することにより、メールを作成する際の参考資料が増加するので、メールの作成能率が向上する。
【発明の効果】
【００１６】
本発明によれば、他人ではなくユーザ自身が予め作成した発信メールのうちの少なくとも差出人、及びメッセージの一部を冒頭文として宛先ごとに切り出してデータベースに登録しておき、そのデータベースから冒頭文を読み出して利用するという簡単な操作で短時間で気兼ねなく宛先やメッセージの入力ができる。
【発明を実施するための最良の形態】
【００１７】
〔発明の特徴〕
本発明は、Ｅメール送受信機能を持つ装置、特に携帯電話や携帯端末において、発信済みのメールの冒頭文を宛先毎に自動的に整理・管理しておき、新たにメール作成をする場合、指定した宛先が以前発信した相手であった場合、メール本文（メッセージ）作成において、自動的に以前使用した冒頭文を自動挿入する機能を提供するものである。
【００１８】
本実施形態の通信装置は、Ｅメール送受信機能を有する通信装置であって、発信メールのうちの少なくとも差出人、及びメッセージの一部を冒頭文として宛先ごとに切り出す制御手段と、制御手段により切り出された冒頭文を登録するデータベースとを備えたことを特徴とする。
制御手段としては、マイクロコンピュータが挙げられ、データベースとしては磁気記録媒体、光磁気記録媒体、光記録媒体、半導体記録媒体等が挙げられる。
【００１９】
本実施形態の通信装置は、上記構成に加え、データベースは、１つの宛先に対して、冒頭文の登録が複数可能であり、制御手段は、冒頭文の頻度のカウントおよび発信日時により優先度を付加するように構成してもよく、ユーザが新規にメールを作成すると、制御手段は、宛先に応じてデータベースに登録された優先度順に冒頭文がメールのメッセージに自動挿入するように構成してもよく、制御手段は、自動挿入された冒頭文が適切でない場合、ユーザに優先度順に提示して切り替えるように構成してもよく、制御手段は、新規に作成されたメールに選択された冒頭文の頻度を更にデータベースに追加するように構成してもよい。
【００２０】
また、本実施形態の通信方法は、Ｅメール送受信を行う通信方法であって、発信メールのうちの少なくとも差出人、及びメッセージの一部を冒頭文として宛先ごとに切り出し、切り出された冒頭文をデータベースに登録することを特徴とする。
【００２１】
本実施形態の通信方法は、上記構成に加え、１つの宛先に対して、データベースに冒頭文を複数登録し、冒頭文の頻度のカウントおよび発信日時により優先度を付加するように構成してもよく、ユーザが新規にメールを作成すると、宛先に応じてデータベースに登録された優先度順に冒頭文をメールのメッセージに自動挿入するように構成してもよく、自動挿入された冒頭文が適切でない場合、ユーザに優先度順に提示して切り替えるように構成してもよく、新規に作成されたメールに選択された冒頭文の頻度を更にデータベースに追加するように構成してもよい。
【００２２】
本実施形態の通信装置は、発信済みのメールの冒頭文を宛先ごと、使用の頻度及び使用日付で優先度をつけて自動登録を行い、新規メール作成時に、自動的に上述の自動登録した冒頭文データベースから、宛先より優先度の一番高い冒頭文を選択し自動的にメール本文（メッセージ）に挿入することを可能にする。
【００２３】
図１は本実施形態の通信装置のブロック図である。
図１において、本実施形態の通信装置１０１内の冒頭文登録データベース１０５には発信メール（発信済みのメールを「発信メール」と呼ぶ）１０７のメール本文冒頭文が宛先（発信宛先）ごとに自動登録されている。  冒頭文登録データベース１０５には１つの宛先に対して複数の冒頭文が登録可能であり、冒頭文ごとに使用頻度による優先度が付加されている。
同じ頻度の冒頭文が複数ある場合には、使用日時が新しい方が優先度が高くなる。この冒頭文登録データベース１０５への冒頭文の登録は、ユーザ自身により新規にメールが作成されて発信される度に自動更新される。
【００２４】
冒頭文の自動切り出し方法であるが、例えば、メール本文先頭より３行目（少なくとも、宛先とメッセージの一部を含む）を見て、次の改行マークまたは複数のスペースがある個所までとして行う。
【００２５】
ユーザーがキー１１０を操作すると、キーイベント処理部１０９がキーイベントをプロセッサ１０２に通知する。キーイベント処理部１０９からの通知を受けたプロセッサ１０２は、本発明の通信方法を含むプログラム１０３に基づき、ユーザーがメール作成を指示していると判断すると、メール作成アプリケーションを起動し、ユーザーにアドレス帳１０６から宛先を選択させる。
プロセッサ１０２の処理がメール本文作成に移行すると、ユーザーが選択した宛先をもとに冒頭文登録データベース１０５から宛先に合致するもっとも優先度の高い冒頭文をメール本文の冒頭に自動挿入する。
異なる冒頭文をユーザーが希望したいとしてキー１１０により指示すると、冒頭文登録データベース１０５より優先度の高い順番に冒頭文が提示され、ユーザーの選択操作により変更することができる。
【００２６】
これらの操作は、ユーザが画像表示回路１１１を通して映像表示部１１２にて表示される映像を見ながら行う。
なお、冒頭文登録データベース１０５、アドレス帳１０６、発信メール１０７はメモリ１０４に登録されている。
【００２７】
また、これらの機能を実現するソフトウェアは、それ以外の装置を制御するプログラムとともに、プログラム１０３に格納されている。
また、メール送受信機能は、回線接続部１０８により実現する。
【実施例】
【００２８】
〔構成〕
図１に示した通信装置は、本発明の機能を実現するソフトウェアおよび装置を制御するために必要な全ての処理を含むソフトウェアが格納されているプロセッサ１０２と、プログラム１０３のソフトウェアに従って装置の制御を行うプロセッサ１０２と、冒頭文登録データベース１０５と、アドレス帳１０６と、発信メール１０７のデータおよびプログラム処理に必要な作業エリアのメモリ１０４と、Ｅメールの送受信機能を実現する回線接続部１０８と、キー処理を行うキーイベント処理部１０９と、ユーザーが操作入力するためのキー１１０と、ユーザーキー操作に従って受信メール一覧などを表示する処理を行う画像表示回路１１１と、実際に映像として映し出す映像表示部１１２とを含む。
【００２９】
図２は図１に示した通信装置に用いられる冒頭文登録データベース１０５の一例である。
冒頭文登録データベース１０５（２０１）は、図２を参照すると、管理番号２０２と、宛先Ｅメールアドレス２０３と、優先度２０４と、頻度２０５と、最新日時２０６と、冒頭文２０７とで構成される。
冒頭文２０７は、宛先Ｅメールアドレス２０３ごとにまとめて表示されており、頻度２０５は同じ冒頭文が使用された回数を示し、最新日時２０６はその冒頭文が使用された最新の日時を示す。冒頭文２０７は、例えば、業務用の場合には、得意先（もしくは業者）、顧客名（業者名）、ユーザ名、「いつもお世話になっております。／定例会のお知らせです。」等の挨拶文や連絡文が挙げられ、私用の場合には、友人名、ユーザ名（省略有り）、「元気？」等の挨拶文や連絡文が挙げられる。通常、これらの文言は改行マークで区切られている。
優先度２０４は、冒頭文の選択順序を同じ宛先Ｅメールアドレスごとに示したもので、頻度の高いものほど優先的に、同じ頻度の場合は最新日時が新しいものほど優先している。
【００３０】
本実施例の通信装置は、プログラム１０３に含まれる本発明を実現するための処理ソフトウェアの部分を除き、それ以外のプログラムおよび各装置または部品は既知の技術で構成されている。
【００３１】
〔実施例の動作の説明〕
次に、図１〜図６を参照して、本実施例の通信装置の機能について詳細に説明する。
図３、４は図１に示した通信装置における発信メールからの冒頭文の自動登録を示すフローチャートである。図５、６は図１に示した通信装置におけるメール作成時の冒頭文の自動挿入を示すフローチャートである。
最初に、発信したメールから冒頭文を取り出し、冒頭文登録データベース２０１（もしくは１０５）に登録するまでのフローを図３、４を参照して説明する。尚、図３にはステップ３０１〜３０８が記載され、図４にはステップ３０９〜３１７が記載されている。
このフローは、メールが発信された際に随時行われる。
以下の処理は、プロセッサ１０２（図１参照）により行われる。
まず、カウンタｎにおいて、初期値１をセットし（ステップ３０１）、次に発信メールから冒頭文をＴｏＳｔｒに切り出し（ステップ３０２）、更に発信メールの宛先ＥメールアドレスをＴｏＡｄｄｒに取り出す（ステップ３０３）。
【００３２】
プロセッサ１０２（図１参照）は、ここから冒頭文登録データベースの既登録データを調べる。
まず管理番号２０２＝ｎの場所にある宛先Ｅメールアドレス２０３をＡｄｄｒに取り出し（ステップ３０４）、このＡｄｄｒとステップ３０３で取り出した発信メールの宛先ＥメールアドレスＴｏＡｄｄｒとを比較する（ステップ３０５）。
ＴｏＡｄｄｒとＡｄｄｒとが一致しない場合（ステップ３０５／ＮＯ）、カウンタｎをカウントアップし（ステップ３０６）、まだ登録されている宛先Ｅメールアドレスがあるか否かを判断する（ステップ３０７）。
登録されている宛先Ｅメールアドレスと一致する宛先Ｅメールアドレスがある場合（ステップ３０７／ＹＥＳ）、ステップ３０４に戻って繰り返し、一致する宛先Ｅメールアドレスがなかった場合（ステップ３０７／ＮＯ）、冒頭文登録データベース２０１への新規登録（即ち、ＴｏＡｄｄｒの宛先Ｅメールアドレス２０３への登録）を行い、優先度２０４を１に設定し、頻度２０５を１に設定し、最新日時２０６に参照中の発信メールの発信日時を登録し、冒頭文２０７にステップ３０２で切り出した冒頭文ＴｏＳｔｒを登録する（ステップ３０８）。
【００３３】
ステップ３０５で発信Ｅメールアドレスと宛先Ｅメールアドレスとが一致した場合は、冒頭文２０７に一致する冒頭文があるか否かの確認を行う。
まず、カウンタｍに１をセットし（ステップ３０９）、管理番号ｎにおける冒頭文２０７のｍ番目の冒頭文をＳｔｒに取り出し（ステップ３１０）、このＳｔｒとステップ３０２で切り出した冒頭文ＴｏＳｔｒとを比較する（ステップ３１１）。
ＴｏＳｔｒとＳｔｒとが一致しない場合（ステップ３１１／ＮＯ）、カウンタｍをカウントアップし（ステップ３１２）、まだ登録されている冒頭文がデータベース内にあるか否かを判断する（ステップ３１３）。
まだ登録されている冒頭文と一致する冒頭文がデータベース内にある場合（ステップ３１３／ＹＥＳ）、ステップ３１０に戻って繰り返す。まだ登録されている冒頭文と一致する冒頭文がなかった場合（ステップ３１３／ＮＯ）、冒頭文登録データベースの管理番号ｎにステップ３０２で切り出した冒頭文ＴｏＳｔｒを追加登録し、更に、頻度２０５を１に設定し、最新日時２０６に参照中の発信メールの発信日時を登録し（ステップ３１４）、同じ管理番号ｎの中の頻度２０５を更新する（ステップ３１５）。
【００３４】
ステップ３１０で管理番号ｎの中のｍ番目の冒頭文２０７のＳｔｒがステップ３０２で切り出した冒頭文ＴｏＳｔｒと一致した場合には、頻度２０５をカウントアップし、最新日時２０６に参照中の発信メールの発信日時を登録し（ステップ３１６）、頻度２０５および最新日時２０６から、管理番号ｎの中の優先度２０４を更新する（ステップ３１７）。
なお、ステップ３０２における発信メール本文からの切り出し方法であるが、特に規定はしない。
一例として、先頭から３行目をポイントして次の改行または複数スペースまでを冒頭文として取り出すような方法が考えられる。
【００３５】
また、優先度設定ルールであるが、同じ管理番号内で「頻度２０５の高いものから順番に優先度をつける」というルールと、「頻度２０５が同じ場合には最新日時２０６が新しいものを優先する」というルールとに基づく。
【００３６】
２番目に、新規メール作成時に、指定した宛先を元に冒頭文登録データベース２０１（もしくは１０５）に登録された冒頭文が作成のメールの先頭に自動挿入されるフローを図５、６にて説明する。尚、ステップ４０１〜４０７は図５に記載され、ステップ４０８〜４１７は図６に記載されている。
【００３７】
説明の簡略化上、メール作成においては、まず宛先を選択し、次にメール本文の作成状態に遷移するとする。説明は、宛先を選択し、メール本文の作成状態になった点より行う。
まず、設定された宛先ＥメールアドレスをＴｏＡｄｄｒに取り出し（ステップ４０１）、次にカウンタｐに初期値１をセットし（ステップ４０２）、更にカウンタｎに初期値１をセットする（ステップ４０３）。
【００３８】
最初に冒頭文登録データベース２０１にＴｏＡｄｄｒと一致する登録済の宛先Ｅメールアドレス２０３が存在するか否かを調べる。
管理番号ｎの冒頭文登録データベースの宛先ＥメールアドレスをＡｄｄｒに取り出し（ステップ４０４）、このＡｄｄｒとステップ４０１で取り出した作成中の送信宛先ＥメールアドレスＴｏＡｄｄｒとを比較する（ステップ４０５）。
ＴｏＡｄｄｒとＡｄｄｒとが一致しない場合（ステップ４０５／ＮＯ）、カウンタｎをカウントアップし（ステップ４０６）、まだ登録されている宛先Ｅメールアドレスが冒頭文登録データベース２０１（図２参照）内にある場合（ステップ４０７／ＹＥＳ）、ステップ４０４に戻って繰り返す。
冒頭文登録データベース１０５内に一致する宛先Ｅメールアドレスがなかった場合には、この宛先ＴｏＡｄｄｒが初めて発信するＥメールアドレスであったとして、冒頭文登録データベース２０１からの冒頭文選択と挿入とは行わない。
【００３９】
ＴｏＡｄｄｒとＡｄｄｒとが一致した場合（ステップ４０５／ＹＥＳ）、管理番号ｎに登録の冒頭文の優先度ｐの冒頭文の取り出しと登録とを行う。
まず、カウンタｍに初期値１をセットし（ステップ４０８）、管理番号ｎのｍ番目登録の冒頭文２０７の場所の優先度２０４をＯｒｄｅｒに取り出す（ステップ４０９）。  Ｏｒｄｅｒが優先度ｐであるか否かを判断する（ステップ４１０）。
Ｏｒｄｅｒが優先度ｐである場合（ステップ４１０／ＹＥＳ）、ｍ番目の冒頭文２０７をＳｔｒに取り出し（ステップ４１１）、メール作成画面の挿入冒頭文候補として表示する（ステップ４１２）。
Ｏｒｄｅｒが優先度ｐでない場合（ステップ４１０／ＮＯ）、カウントアップし（ステップ４１３）、ステップ４０９に戻って繰り返す。
【００４０】
次に、プロセッサ１０２はユーザーに冒頭文の決定判断を求める。
まず、映像表示部１１２（図１参照）に候補表示している優先度ｐの冒頭文でＯＫか否かの確認を求める（ステップ４１４）。
ユーザが冒頭文でＯＫである場合（ステップ４１４／ＹＥＳ）、メール本文に候補表示している優先度ｐの冒頭文Ｓｔｒを挿入し（ステップ４１５）、本処理を終了してメール作成に移る。
ユーザが冒頭文でＯＫでない場合（ステップ４１４／ＮＯ）、カウンタｐをカウントアップし（ステップ４１６）、まだ登録の冒頭文があるか否かの判断を行う（ステップ４１７）。
まだ登録の冒頭文がある場合（ステップ４１７／ＹＥＳ）、優先度ｐの冒頭文を探すためにステップ４０８に戻る。
ステップ４１７で、もう登録の冒頭文がないと分かった場合（ステップ４１７／ＮＯ）には、冒頭文の選択と挿入とを終了する。
なお、この新規作成のメールが発信された時点で、図３、４に基づき冒頭文登録データベース２０１の更新が行われる。
【００４１】
〔効果の説明〕
第１の効果は、個人が日常的に使用しているＥメールの冒頭文を発信者ごとに分類して自動登録し、頻度や使用日時により、もっともよく使用する順番に優先度づけをしている点である。この結果、簡単な操作で短時間で気兼ねなく宛先やメッセージの入力ができる。
【００４２】
第２の効果は、上記第１の効果で優先度した冒頭文を、新規メール作成において発信先に合わせて、メール本文に自動挿入し、変更したい場合にも優先度順に提示され、容易に変更が可能な点である。
【産業上の利用可能性】
【００４３】
本発明は、Ｅメールの送受信可能な携帯電話や携帯端末に利用が可能である。
【図面の簡単な説明】
【００４４】
【図１】本実施形態の通信装置のブロック図である。
【図２】図１に示した通信装置に用いられる冒頭文登録データベース１０５の一例である。
【図３】図１に示した通信装置における発信メールからの冒頭文の自動登録を示すフローチャートの前半部である。
【図４】図１に示した通信装置における発信メールからの冒頭文の自動登録を示すフローチャートの後半部である。
【図５】図１に示した通信装置におけるメール作成時の冒頭文の自動挿入を示すフローチャートの前半部である。
【図６】図１に示した通信装置におけるメール作成時の冒頭文の自動挿入を示すフローチャートの後半部である。
【符号の説明】
【００４５】
１０１    通信装置
１０２    プロセッサ（制御手段）
１０３    プログラム
１０４    メモリ
１０５（２０１）    冒頭文登録データベース
１０６    アドレス帳
１０７    発信メール
１０８    回線接続部
１０９    キーイベント処理部
１１０    キー
１１１    画像表示回路
１１２    映像表示部
【図１】
2006209494.tif 000003
【図２】
2006209494.tif 000004
【図３】
2006209494.tif 000005
【図４】
2006209494.tif 000006
【図５】
2006209494.tif 000007
【図６】
2006209494.tif 000008